(57)【要約】      （修正有）【課題】給湯器の種々のサイズに対応し、給湯器内に溜められている湯を冷めにくくし、省エネルギーを図ることができ、さらに、給湯器が雨や風にさらされたり、直射日光を受けたり、埃を被ったりすることで痛むことを防止する給湯器用カバーを提供する。【解決手段】屋外に設置される給湯器の筐体に被せる給湯器用カバー１であって、保温性の材料で形成され、一端が閉塞し、他端が開口するカバー本体３と、カバー本体３の幅または奥行の大きさを小さくする少なくとも一つの折り込み部７と、折り込み部７をカバー本体３内部に封入する第１の係合部５ａ、５ｂと、を備える。【選択図】図１
0003219524.tif 000002
【実用新案登録請求の範囲】
【請求項１】
屋外に設置される給湯器の筐体に被せる給湯器用カバー（１）であって、
断熱性を有する材料で形成され、一端が閉塞し、他端が開口するカバー本体（３）と、
前記カバー本体の幅または奥行の大きさを小さくする少なくとも一つの折り込み部（７）と、
前記折り込み部を前記カバー本体内部に封入する第１の係合部（５ａ、５ｂ）と、を備えることを特徴とする給湯器用カバー。
【請求項２】
前記カバー本体の開口端部から高さ方向に設けられた少なくとも一つの切り込み部（８）と、
前記切り込み部を開放または接合する第２の係合部（９ａ、９ｂ）と、を備えることを特徴とする請求項１記載の給湯器用カバー。
【請求項３】
前記第２の係合部（１９ａ、１９ｂ）は、同一の軌道上に２つのスライダーを有するファスナーであって、
前記切込み部が完全に接合した待機状態から、前記切込み部を開放させる第１のスライダー（２１ａ）と、前記第１のスライダーと同一の軌道を摺動し、前記第１のスライダーによって開放された前記切込み部を接合させる第２のスライダー（２１ｂ）とを備えることを特徴とする請求項２記載の給湯器用カバー。
【考案の詳細な説明】
【技術分野】
【０００１】
本考案は、屋外に設置される給湯器の筐体に被せる給湯器用カバーに関する。
【背景技術】
【０００２】
従来から、屋外に設置される給湯器が用いられている。このような給湯器は、ガスや電気などのエネルギーを用いて水を沸かし、タンク内に湯を貯留することができるように構成されている。タンク内の湯は、パイプを介して室内に導入される。ユーザは、室内で湯の供給を受けることが可能である。
【先行技術文献】
【特許文献】
【０００３】
【特許文献１】特開２０１４−４７９５０号公報
【考案の概要】
【考案が解決しようとする課題】
【０００４】
しかしながら、給湯器のタンクに溜められている湯は、外気温が低い場合は、冷めやすくなる。湯の温度を維持するためには、ガスや電気などのエネルギーを使わなければならず、コストの上昇やエネルギーの無駄遣いの問題が懸念される。また、給湯器の筐体は、メーカーによって異なるサイズを有しているため、そのサイズに合わせてカバーも調整できることが望ましい。
【０００５】
本考案は、このような事情に鑑みてなされたものであり、給湯器の種々のサイズに対応し、給湯器内に溜められている湯を冷めにくくし、省エネルギーを図ることができ、さらに、給湯器が雨や風にさらされたり、直射日光を受けたり、埃を被ったりすることで痛むことを防止できる給湯器用カバーを提供することを目的とする。
【課題を解決するための手段】
【０００６】
（Ａ）上記の目的を達成するために、本考案は、以下のような手段を講じた。すなわち、本考案の給湯器用カバーは、屋外に設置される給湯器の筐体に被せる給湯器用カバー（１）であって、断熱性を有する材料で形成され、一端が閉塞し、他端が開口するカバー本体（３）と、前記カバー本体の幅または奥行の大きさを小さくする少なくとも一つの折り込み部（７）と、前記折り込み部を前記カバー本体内部に封入する第１の係合部（５ａ、５ｂ）と、を備えることを特徴とする。
【０００７】
この構成により、給湯器の種々のサイズに対応し、給湯器内に溜められている湯を冷めにくくし、省エネルギーを図ることができ、さらに、給湯器が雨や風にさらされたり、直射日光を受けたり、埃を被ったりすることで痛むことを防止することが可能となる。
【０００８】
（Ｂ）また、本考案の給湯器用カバーは、前記カバー本体の開口端部から高さ方向に設けられた少なくとも一つの切り込み部（８）と、前記切り込み部を開放または接合する第２の係合部（９ａ、９ｂ）と、を備えることを特徴とする。
【０００９】
この構成により、高さ方向の切り込み部を折り上げることによって、高さの小さい給湯器にも合わせることが可能となる。
【００１０】
（Ｃ）また、本考案の給湯器用カバーは、前記第２の係合部（１９ａ、１９ｂ）は、同一の軌道上に２つのスライダーを有するファスナーであって、前記切込み部が完全に接合した待機状態から、前記切込み部を開放させる第１のスライダー（２１ａ）と、前記第１のスライダーと同一の軌道を摺動し、前記第１のスライダーによって開放された前記切込み部を接合させる第２のスライダー（２１ｂ）とを備えることを特徴とする。
【００１１】
この構成により、給湯機本体を支持する支持部材や取付金具の位置に応じた隙間を設けることができると共に、不要な隙間を閉塞して保温性を高めることが可能となる。
【考案の効果】
【００１２】
本考案によれば、給湯器の種々のサイズに対応し、給湯器内に溜められている湯を冷めにくくし、省エネルギーを図ることができ、さらに、給湯器が雨や風にさらされたり、直射日光を受けたり、埃を被ったりすることで痛むことを防止することができる。
【図面の簡単な説明】
【００１３】
【図１】第１の実施形態に係る給湯器用カバーの正面図である。
【図２】第１の実施形態に係る給湯器用カバーの背面図である。
【図３】第１の実施形態に係る給湯器用カバーの平面図である。
【図４】第１の実施形態に係る給湯器用カバーの底面図である。
【図５】第１の実施形態に係る給湯器用カバーの右側面図である。
【図６】第１の実施形態に係る給湯器用カバーの左側面図である。
【図７】第１の実施形態に係る給湯器用カバーの正面側からの基本姿勢の斜視図である。
【図８】第１の実施形態に係る給湯器用カバーの変化をした状態の正面側からの斜視図である。
【図９】第１の実施形態に係る給湯器用カバーの図１におけるＡ−Ａ断面図である。
【図１０】第１の実施形態に係る給湯器用カバーの背面側からの基本姿勢の参考斜視図である。
【図１１】第１の実施形態に係る給湯器用カバーの変化をした状態の背面側からの参考斜視図である。
【図１２】第２の実施形態に係る給湯器用カバーの正面側からの基本姿勢の斜視図である。
【図１３】第３の実施形態に係る給湯器用カバーの正面側からの基本姿勢の斜視図である。
【図１４】第４の実施形態に係る給湯器用カバーの正面側からの基本姿勢の部分拡大図である。
【図１５】第４の実施形態に係る給湯器用カバーの正面側からの基本姿勢の部分拡大図である。
【考案を実施するための形態】
【００１４】
［第１の実施形態］
図１から図１１は、第１の実施形態に係る給湯器用カバーを示す図である。第１の実施形態に係る給湯器用カバー１は、屋外に設置される給湯器に被せるために用いられる。カバー本体３は、断熱性を有する材質で形成されている。給湯器は、内部のタンクに湯を溜めておくことができるが、外気温が低い場合は、湯が冷めやすくなる。従来は、湯の温度を維持するために、電気やガスなどのエネルギーを使わなければならなかったが、この給湯器用カバー１は、断熱性を有する材質で形成されているため、給湯器に被せることによって、給湯器内に溜められている湯を冷めにくくし、ひいては省エネルギーを測ることが可能となる。また、給湯器を雨、埃などによって傷むことから保護することができる。
【００１５】
給湯器用カバー１は、保温性の材料で形成され、一端が閉塞し、他端が開口するカバー本体３を備える。また、カバー本体３の幅または奥行の大きさを小さくする少なくとも一つの折り込み部７を備える。また、折り込み部７をカバー本体３の内部に封入する第１のファスナー５ａ、５ｂを備える。
【００１６】
図１、図２、図３、図４は、第１のファスナー５ａ、５ｂが開いている状態を示しており、その結果、図１における横幅（左右方向の距離）が広い給湯器に適用することができるようになっている。第１のファスナー５ａ、５ｂを締める際に、左側面と右側面との距離が小さくなると共に、第１のファスナー５ａ、５ｂの間にあるカバー本体３の一部としての折り込み部７が、第１のファスナー５ａ、５ｂの内部に折り込まれ、図８に示す「変化をした状態の正面側の斜視図」で表された形態となる。その結果、図１における横幅（左右方向の距離）が狭い給湯器に適用することができる。すなわち、サイズの異なる給湯器に対しても、本実施形態に係る給湯器用カバーを使用することが可能となる。
【００１７】
さらに、第１の実施形態に係る給湯器用カバー１は、図２、図３、図７、図８、図１０および図１１に表されているように、カバー本体の背面および平面にわたる２面に、第２のファスナー９ａ、９ｂを備えている。この第２のファスナー９ａ、９ｂは、第１のファスナー５ａ、５ｂに対して外側（左側面側）に平行に設けられており、左側面を、部分的にカバー本体３から分離して、切り込み部８を出現させる機能を有する。この第２のファスナー９ａ、９ｂを開けることによって、給湯器用カバー１を給湯器に被せやすくするという効果を奏する。
【００１８】
図１０は、基本姿勢において、第２のファスナーの一部を開いた様子を示しており、図１１は、変化をした状態において、第２のファスナー９ａ、９ｂの一部を開いた様子を示している。
【００１９】
以上説明したように、第１の実施形態に係る給湯器用カバー１によれば、給湯器の種々のサイズに対応し、給湯器内に溜められている湯を冷めにくくし、省エネルギーを図ることができ、さらに、給湯器が雨や風にさらされたり、直射日光を受けたり、埃を被ったりすることで痛むことを防止することが可能となる。また、高さ方向の切り込み部８を折り上げることによって、高さの小さい給湯器にも合わせることが可能となる。
【００２０】
［第２の実施形態］
図１２は、第２の実施形態に係る給湯器用カバーの正面側からの基本姿勢の斜視図である。給湯器用カバー１０は、カバー本体１３、第１のファスナー１５ａ、１５ｂを備えており、第１の実施形態と同様に、折り込み部１７をカバー本体１３の内部に折り込んで第１のファスナー１５ａ、１５ｂを締めることによって、カバー本体１３の幅を小さくすることができる。さらに、第２の実施形態に係る給湯器用カバー１０は、正面と右側面および左側面に亘る２辺に、第２のファスナー１９ａ、１９ｂが設けられている。この第２のファスナー１９ａ、１９ｂをそれぞれ開くことによって、正面の下方に２つの切り込み部１８を出現させることが可能となる。これにより、切り込み部１８を折り上げることによって、高さの小さい給湯器にも合わせることが可能となる。
【００２１】
［第３の実施形態］
図１３は、第３の実施形態に係る給湯器用カバーの正面側からの基本姿勢の斜視図である。給湯器用カバー２０は、カバー本体２３、２つの第１のファスナー２５ａ、２５ｂ、第１のファスナー２７ａ、２７ｂを備えている。折り込み部２６をカバー本体２３の内部に折り込んで、第１のファスナー２５ａ、２５ｂを締めることによって、カバー本体２３の幅を小さくすることができる。また、折り込み部２８をカバー本体２３の内部に折り込んで、第１のファスナー２７ａ、２７ｂを締めることによって、カバー本体２３の幅を小さくすることができる。第１のファスナー２５ａ、２５ｂが開いた場合の距離と、第１のファスナー２７ａ、２７ｂが開いた場合の距離は、異なるように設定されている。これにより、給湯器のサイズに合わせて、給湯器用カバー２０の幅を調節することが可能となっている。
【００２２】
また、第３の実施形態に係る給湯器用カバー２０は、第２の実施形態と同様に、正面と右側面および左側面に亘る２辺に、第２のファスナー２９ａ、２９ｂが設けられている。この第２のファスナー２９ａ、２９ｂをそれぞれ開くことによって、正面の下方に２つの切り込み部２８を出現させることが可能となる。これにより、切り込み部２８を折り上げることによって、高さの小さい給湯器にも合わせることが可能となる。
【００２３】
［第４の実施形態］
図１４および図１５は、第４の実施形態に係る給湯器用カバーの正面側からの基本姿勢の部分拡大図である。給湯器用カバー４１は、カバー本体１３、第１のファスナー１５ａ、１５ｂを備えており、第１の実施形態と同様に、折り込み部１７をカバー本体１３の内部に折り込んで第１のファスナー１５ａ、１５ｂを締めることによって、カバー本体１３の幅を小さくすることができる。さらに、第４の実施形態に係る給湯器用カバー４１は、正面と右側面および左側面に亘る２辺に、第２のファスナー１９ａ、１９ｂが設けられている。この第２のファスナー１９ａ、１９ｂは、同一の軌道上に２つのスライダー２１ａ、２１ｂを有する。第１のスライダー２１ａを紙面に対し上方向、すなわち、第２のファスナー１９ａ、１９ｂが接合した待機状態から、第２のファスナー１９ａ、１９ｂを開放させる第１の方向にスライドさせると、第２のファスナー１９ａ、１９ｂがそれぞれ開き、正面の下方に２つの切り込み部１８を出現させることが可能となる。一方、スライダー２１ｂを上記第１の方向にスライドさせると、第２のファスナー１９ａ、１９ｂが再び接合する。
【００２４】
図１５に示すように、カバー本体１３の任意の箇所に、適切な隙間を設けることが可能となる。これにより、給湯機本体を支持する支持部材や取付金具の位置に応じた隙間を設けることができると共に、不要な隙間を閉塞して保温性を高めることが可能となる。
【００２５】
以上説明したように、本実施形態によれば、給湯器の種々のサイズに対応し、給湯器内に溜められている湯を冷めにくくし、省エネルギーを図ることができ、さらに、給湯器が雨や風にさらされたり、直射日光を受けたり、埃を被ったりすることで痛むことを防止することができる。
【符号の説明】
【００２６】
１、１０、２０  給湯器用カバー
３、１３、２３  カバー本体
５ａ、５ｂ  第１のファスナー
７  折り込み部
８  切り込み部
９、９ａ、９ｂ  第２のファスナー
１３  カバー本体
１５ａ、１５ｂ  第１のファスナー
１７  折り込み部
１８  切り込み部
１９ａ、１９ｂ  第２のファスナー
２１ａ  第１のスライダー
２１ｂ  第２のスライダー
２５ａ、２５ｂ、２７ａ、２７ｂ  第１のファスナー
２６、２８  折り込み部
【図１】
0003219524.tif 000003
【図２】
0003219524.tif 000004
【図３】
0003219524.tif 000005
【図４】
0003219524.tif 000006
【図５】
0003219524.tif 000007
【図６】
0003219524.tif 000008
【図７】
0003219524.tif 000009
【図８】
0003219524.tif 000010
【図９】
0003219524.tif 000011
【図１０】
0003219524.tif 000012
【図１１】
0003219524.tif 000013
【図１２】
0003219524.tif 000014
【図１３】
0003219524.tif 000015
【図１４】
0003219524.tif 000016
【図１５】
0003219524.tif 000017